(57)【要約】      （修正有）【課題】タブレット型パーソナルコンピュータ等の電子装置のホストのバックカバーとして着脱できると同時に、ホストに新しい機能を提供し、持ち運びに便利なだけでなく、余分なスペースを必要としない拡張キット並びにこれを備えた電子装置を提供する。【解決手段】電子装置１０に応用される拡張キット１２を開示し、この拡張キットは、ハウジング１２１と、機能モジュール１２２と、コネクタ１２３を備える。機能モジュールはコネクタに電気的に接続されると同時に、機能モジュールとコネクタはハウジングに設置される。拡張キットは、ハウジングに接続される延長部を更に備えることができ、その場合、第２機能モジュールは延長部に接続されると同時に、コネクタに電気的に接続される。延長部は、折り畳まれることで、ホスト１１を支持するか、またはホストの保護スリーブを形成する。【選択図】図１
0003202059.tif 000002
【実用新案登録請求の範囲】
【請求項１】
制御器を有する電子装置のホストに応用される拡張キットであって、
ハウジングと、
前記ハウジングに設置される第１機能モジュールと、
前記ハウジングに設置されると同時に、前記第１機能モジュールに電気的に接続されるコネクタと、
を備えることを特徴とする拡張キット。
【請求項２】
第１折り線を介して前記ハウジングに接続される延長部を更に備え、
前記延長部は、折り畳まれることで、前記ホストを支持するか、または前記ホストの保護スリーブを形成することを特徴とする請求項１に記載の拡張キット。
【請求項３】
前記延長部は、前記コネクタに電気的に接続される第２機能モジュールを備えることを特徴とする請求項２に記載の拡張キット。
【請求項４】
前記延長部は、
バックカバー支持エリアと、
第２折り線を介して前記バックカバー支持エリアに接続される底部支持エリアと、を備え、
前記バックカバー支持エリアと前記底部支持エリアはそれぞれ前記第１折り線と前記第２折り線に沿って折り畳まれることを特徴とする請求項２に記載の拡張キット。
【請求項５】
前記コネクタはセンサーピンを有し、前記拡張キットを前記ホストに取り付けた後、前記センサーピンはセンサー信号を前記制御器に送信することで、前記第１機能モジュールを駆動することを特徴とする請求項１に記載の拡張キット。
【請求項６】
接続ハブと制御器を有する電子装置のホストと、
前記ホストに応用される拡張キットと、を備え、
前記拡張キットは、
ハウジングと、
前記ハウジングに設置される第１機能モジュールと、
前記接続ハブに対応して前記ハウジングに設置されると同時に、前記第１機能モジュールに電気的に接続されるコネクタと、
を備えることを特徴とする電子装置。
【請求項７】
前記ハウジングは、第１折り線を介して前記ハウジングに接続される延長部を更に備え、
前記延長部は、折り畳まれることで、前記ホストを支持するか、または前記ホストの保護スリーブを形成することを特徴とする請求項６に記載の電子装置。
【請求項８】
前記延長部は、前記コネクタに電気的に接続される第２機能モジュールを備えることを特徴とする請求項７に記載の電子装置。
【請求項９】
前記延長部は、
バックカバー支持エリアと、
第２折り線を介して前記バックカバー支持エリアに接続される底部支持エリアとを備え、
前記バックカバー支持エリアと前記底部支持エリアはそれぞれ前記第１折り線と前記第２折り線に沿って折り畳まれることを特徴とする請求項７に記載の電子装置。
【請求項１０】
前記コネクタはセンサーピンを有し、前記拡張キットを前記ホストに取り付けた後、前記センサーピンはセンサー信号を前記制御器に送信することで、前記第１機能モジュールを駆動することを特徴とする請求項６に記載の電子装置。
【考案の詳細な説明】
【技術分野】
【０００１】
本考案は、電子装置の拡張キット並びにこの拡張キットを備えた電子装置に関するものであり、特に、タブレット型パーソナルコンピュータ等の電子装置のホストの機能を拡張できる拡張キット並びにこれを備えた電子装置に関するものである。
【背景技術】
【０００２】
通常、タブレット型パーソナルコンピュータのような電子装置のホストの機能は、工場で決定され、ユーザは容易にこれらの機能を変更できないため、ユーザのニーズの多様性を満たすことができない。
【考案の概要】
【考案が解決しようとする課題】
【０００３】
これに鑑みて、本考案は、従来技術の上記問題点を改善するため、タブレット型パーソナルコンピュータのような電子装置のホストの機能を拡張できる拡張キット及びこれを備えた電子装置を提供することを目的とする。その場合、本考案において、「ホスト」とはタブレット型パーソナルコンピュータ等のように独立して各種機能を達成できる電子機器の本体を指し、「拡張キット」とは前記ホストに取り付けられてホストの機能を拡張する等の役割を果たす機器を指し、「電子装置」とは上記ホストに上記拡張キットを取り付けたものを指す。
【課題を解決するための手段】
【０００４】
上記の目的を達成するため、本考案は、タブレット型パーソナルコンピュータ等の電子装置のホストに応用される拡張キットを提供し、この拡張キットは、ハウジングと、第１機能モジュール及びコネクタを備える。第１機能モジュールはコネクタに電気的に接続されると同時に、ハウジングに設置される。拡張キットはハウジングに接続される延長部を更に備え、第２機能モジュールは延長部に接続されると同時に、コネクタに電気的に接続される。延長部は、折り畳まれることで、ホストを支持するか、またはホストの保護スリーブを形成する。
【０００５】
また、本考案は、上記の目的を達成するため、上記拡張キットを備えた電子装置を更に提供する。即ち、本考案に係る電子装置はホストと拡張キットを備える。ホストは接続ハブと制御器を有する。拡張キットはハウジングと第１機能モジュール、及びコネクタを備える。第１機能モジュールとコネクタはハウジングに接続されると同時に、コネクタは第１機能モジュールに電気的に接続される。
【考案の効果】
【０００６】
上述より、本考案の拡張キットは、タブレット型パーソナルコンピュータ等の電子装置のホストのバックカバーとして着脱できると同時に、前記ホストに新しい機能を提供することができ、持ち運びに便利なだけでなく、そのための余分なスペースを必要としないようにすることができる。
【図面の簡単な説明】
【０００７】
【図１】本考案の拡張キット及び電子装置の第１実施例の構造図である。
【図２】本考案の拡張キット及び電子装置の第２実施例の構造図である。
【図３】図２に示した電子装置を組み立てた後の構造図である。
【考案を実施するための形態】
【０００８】
本考案の上述の特徴と長所を更にわかり易くするために、関連する図面を参照しながら、好ましい実施例を以下の通りに説明する。
【実施例１】
【０００９】
図１は本考案の第１実施例の構造図である。本実施例により提供される電子装置１０は、例えばタブレット型パーソナルコンピュータのような電子装置１０のホスト１１と拡張キット１２を備える。拡張キット１２はホスト１１のバックカバーとして用いられ、且つホスト１１に結合される。
【００１０】
拡張キット１２はハウジング１２１と、少なくとも１つの機能モジュール１２２（後述する実施例２との間で用語の統一を図るため、請求項１、６では「第１機能モジュール」という。）と、コネクタ１２３を備え、機能モジュール１２２とコネクタ１２３はハウジング１２１に設置されると同時に、ワイヤ１３を介して互いに接続される。ホスト１１はコネクタ１２３に対応する接続ハブ１１１を有する。ホスト１１は、接続ハブ１１１に接続される制御器１１２を更に備える。拡張キット１２をホスト１１に取り付けた後、コネクタ１２３は接続ハブ１１１の中に挿入されることで、機能モジュール１２２をホスト１１に電気的に接続させる。
【００１１】
一実施例において、機能モジュール１２２は電池モジュール、近距離無線通信モジュール、または無線ネットワークモジュールである。また、機能モジュール１２２は実際のニーズに応じて置き換えることができる。
【００１２】
本実施例において、コネクタ１２３はユニバーサルシリアルバス（ＵＳＢプラグ）であり、接続ハブ１１１はコネクタ１２３にマッチしたＵＳＢインターフェースソケットである。コネクタ１２３と接続ハブ１１１はそれぞれ複数の金属ピンを備える。一実施例において、複数の金属ピンのうちの１つはセンサーピンであり、拡張キット１２をホスト１１に取り付けた後、センサーピンはセンサー信号を制御器１１２に送信し、制御器１１２は機能モジュール１２２を制御、且つ駆動することで、機能モジュール１２２を作動させる。
【００１３】
本実施例において、ホスト１１は例えばタブレット型パーソナルコンピュータ本体であり、拡張キット１２はタブレット型パーソナルコンピュータのバックカバーとして用いられる。よって、ホスト１１であるタブレット型パーソナルコンピュータ本体は、その回路等の配置規格をアップグレードする必要がなく、拡張キット１２を経由するだけで、少なくとも１つの拡張機能を提供することができる。例を挙げると、本実施例の拡張キット１２は電池充電機能、近距離通信機能、またはＷｉ−Ｆｉ機能をタブレット型パーソナルコンピュータ等の電子装置１０に提供することが可能であるが、これらの機能に限定されない。
【実施例２】
【００１４】
図２は本考案の第２実施例の構造図である。本実施例で提供される電子装置２０はホスト２１と拡張キット２２を備える。本実施例の拡張キット２２はハウジング２２３と延長部２５からなる。拡張キット２２は第１折り線２２１と第２折り線２２２を有する。第１折り線２２１は拡張キット２２をハウジング２２３と延長部２５に分け、第２折り線２２２は延長部２５をバックカバー支持エリア２２４と底部支持エリア２２５に分ける。第１機能モジュール２２６とコネクタ２２７は、ハウジング２２３に設けられ、且つ第１機能モジュール２２６とコネクタ２２７は、ワイヤ２３を介して互いに接続する。底部支持エリア２２５には更に第２機能モジュール２２８が設けられ、第２機能モジュール２２８はワイヤ２４を介してコネクタ２２７と互いに接続する。
【００１５】
ホスト２１は接続ハブ２１１と制御器２１２を備え、拡張キット２２をホスト２１の背面に取り付けた後、ハウジング２２３はホスト２１に結合され、且つコネクタ２２７は、接続ハブ２１１の中に挿入される。
【００１６】
図３は図２に示した電子装置２０を組み立てた後の構造図である。ハウジング２２３はホスト２１に緊密に結合され、バックカバー支持エリア２２４は第１折り線２２１に沿って、ホスト２１から離れる方向へ折り曲げられ、底部支持エリア２２５は第２折り線２２２に沿って折り畳まれることで、ホスト２１を支持する。これによって、ホスト２１は直立状態、または傾斜状態で使用可能となる。
【００１７】
また、バックカバー支持エリア２２４をホスト２１の背面に当接させ、且つ底部支持エリア２２５を第２折り線２２２に沿ってホスト２１の正面へ向けて折り畳むことにより、底部支持エリア２２５がホスト２１の正面を完全に覆うようにでき、そのように拡張キット２２を折り畳むことによって、ホスト２１の保護スリーブを形成させることができる。
【００１８】
本実施例において、コネクタ２２７はユニバーサルシリアルバス（ＵＳＢプラグ）であり、接続ハブ２１１はコネクタ２２７にマッチしたＵＳＢインターフェースソケットである。コネクタ２２７と接続ハブ２１１はそれぞれ複数の金属ピンを備え、複数の金属ピンのうちの１つはセンサーピンである。拡張キット２２をホスト２１に取り付けた後、センサーピンはセンサー信号を制御器２１２に送信し、制御器２１２は機能モジュールを制御、且つ駆動することで、機能モジュールを作動させる。
【００１９】
一実施例において、第１機能モジュール２２６は電池モジュール、近距離無線通信モジュール、または無線ネットワークモジュールであり、第２機能モジュール２２８はオーディオモジュール、または電池モジュールである。第１機能モジュール２２６と第２機能モジュール２２８はいずれも実際のニーズに応じて他の機能を有するものと置き換えることができる。
【００２０】
上述をまとめると、本考案の拡張キットは、タブレット型パーソナルコンピュータのような電子装置のホストのバックカバーとして着脱できると同時に、ホストに新しい機能を提供することができ、持ち運びに便利だけでなく、且つ余分なスペースを必要としない。また、拡張キットを更に折り畳むことができるように構成することで、ホストの支持フレーム、または保護スリーブを形成することができるため、ユーザの使用便利性を向上させることができる。
【００２１】
上記は例示的なものであって、本考案を限定するためのものではない。本考案の技術的思想および範囲から逸脱することなく行われる等価の修正または変更は、いずれも別紙の実用新案登録請求の範囲に含まれる。
【産業上の利用可能性】
【００２２】
本考案は以上の如く構成したため、タブレット型パーソナルコンピュータ等の電子装置のホストに容易に新しい機能を付与することのできる拡張キット、並びにこの拡張キットを用いた電子装置のホストの支持フレームまたは保護スリーブとして用いることのできる拡張キット、並びにこの拡張キットを用いた電子装置として好適に用いられ、更にまた、持ち運びに便利で、設置スペースを取らないことで、より好適に用いられるものである。
【符号の説明】
【００２３】
１０、２０  電子装置
１１、２１  ホスト
１１１、２１１  接続ハブ
１１２、２１２  制御器
１２、２２  拡張キット
１２１、２２３  ハウジング
１２２      機能モジュール
１２３、２２７  コネクタ
１３、２３、２４  ワイヤ
２２１      第１折り線
２２２      第２折り線
２２４      バックカバー支持エリア
２２５      底部支持エリア
２２６      第１機能モジュール
２２８      第２機能モジュール
２５  延長部
【図１】
0003202059.tif 000003
【図２】
0003202059.tif 000004
【図３】
0003202059.tif 000005